(57)【特許請求の範囲】
【請求項１】
目標電力に基づいて負荷のデマンド制御を行い、デマンド制御に起因する遮断レベルおよびこの遮断レベルの継続時間を検出して記憶し、所定期間内における各遮断レベルの累積時間を算出し、算出された累積時間に基づいて目標電力の適否を判定することを特徴とするデマンド制御監視方法。
【請求項２】
目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の割合を算出し、算出された割合に基づいて目標電力の適否を判定することを特徴とするデマンド制御監視方法。
【請求項３】
目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の割合を算出し、算出された割合をグラフ表示することを特徴とするデマンド制御監視方法。
【請求項４】
目標電力に基づいて負荷のデマンド制御を行うデマンド制御手段（１）と、デマンド制御に起因する遮断レベルおよびこの遮断レベルの継続時間を検出して記憶する制御履歴記憶手段（１８）と、所定期間内における各遮断レベルの累積時間を算出する累積時間算出手段（２１）と、算出された累積時間に基づいて目標電力の適否を判定する適否判定手段（８３）とを含むことを特徴とするデマンド制御監視装置。
【請求項５】
目標電力に基づいて負荷のデマンド制御を行うデマンド制御手段（１）と、デマンド制御に起因する遮断レベルおよびこの遮断レベルの継続時間を検出して記憶する制御履歴記憶手段（１８）と、所定期間内における各遮断レベルの累積時間を算出する累積時間算出手段（２１）と、各遮断レベルの累積時間の割合を算出する割合算出手段（２１）と、算出された割合を所定の閾値と比較して目標電力の適否を判定する適否判定手段（８３）とを含むことを特徴とするデマンド制御監視装置。
【請求項６】
目標電力に基づいて負荷のデマンド制御を行うデマンド制御手段（１）と、デマンド制御に起因する遮断レベルおよびこの遮断レベルの継続時間を検出して記憶する制御履歴記憶手段（１８）と、所定期間内における各遮断レベルの累積時間を算出する累積時間算出手段（２１）と、各遮断レベルの累積時間の割合を算出する割合算出手段（２１）と、算出された割合をグラフ表示する表示手段（３）とを含むことを特徴とするデマンド制御監視装置。
【発明の詳細な説明】
【０００１】
【発明の属する技術分野】
この発明は、デマンド制御結果に基づいて目標電力の適否を判定する新規なデマンド制御監視方法およびその装置に関する。
【０００２】
【従来の技術】
従来から、契約電力を低減するために、目標電力を予め設定し、この目標電力を超えないように、かつデマンド制御の対象となっている部屋の不公平を低減するように負荷群の動作を制御するデマンド制御方法が知られており、広く採用されるようになってきている（例えば、特開平１１−２１５７００号公報参照）。
【０００３】
また、デマンド制御を行うに当たって、複数の遮断レベルを予め設定しておき、予測電力が目標電力を超える程度に応じて、順次各遮断レベルを実行するデマンド制御方法も提案されている（例えば、特開昭５７−１９５３８号公報参照）。
【０００４】
【発明が解決しようとする課題】
しかし、何れのデマンド制御方法を採用した場合にも、一旦定められた目標電力を超えないように負荷群を制御するようにしているだけであり、目標電力が適切に設定されているか否かを判定することはできない。この結果、契約電力の低減と室内環境の維持とを両立できるという保証がない。
【０００５】
さらに説明する。
【０００６】
従来は、デマンド制御を行うに当たって、契約電力低減（基本電力料金低減）の目標値からの逆算、もしくは対象となる電気機器の容量を考慮して仮の目標電力を設定し、設定された目標電力に基づいてデマンド制御を行うようにしている。
【０００７】
そして、設定された目標電力を守り、しかもデマンド制御の対象となっている部屋の不公平を解消させるようにした場合であっても、絶対的に電力が不足する状態であれば、全ての部屋で環境悪化が許容できる限界を超え、業務に支障をきたし、ひいてはデマンド制御を行うことに賛同が得られなくなる可能性が高くなる。
【０００８】
逆に、必要以上に環境悪化をおそれて目標電力を設定すると、契約電力低減効果が低くなってしまい、デマンド制御を導入することによる経済効果、省エネルギー効果が現象してしまう。
【０００９】
したがって、契約電力低減および室内環境維持を両立させることができるように目標電力を設定することが著しく困難であり、通常は目標電力の設定が不適切である場合が殆どであるから、契約電力低減、室内環境維持の何れかが損なわれてしまうことになる。
【００１０】
【発明の目的】
この発明は上記の問題点に鑑みてなされたものであり、デマンド制御のために設定された目標電力の適否を判定できるようにするデマンド制御監視方法およびその装置を提供することを目的としている。
【００１２】
【課題を解決するための手段】
請求項１のデマンド制御監視方法は、目標電力に基づいて負荷のデマンド制御を行い、デマンド制御に起因する遮断レベルおよびこの遮断レベルの継続時間を検出して記憶し、所定期間内における各遮断レベルの累積時間を算出し、算出された累積時間に基づいて目標電力の適否を判定する方法である。
【００１３】
請求項２のデマンド制御監視方法は、目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の所定期間に対する割合を算出し、算出された割合に基づいて目標電力の適否を判定する方法である。
【００１４】
請求項３のデマンド制御監視方法は、目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の所定期間に対する割合を算出し、算出された割合をグラフ表示する方法である。
【００１６】
請求項４のデマンド制御監視装置は、目標電力に基づいて負荷のデマンド制御を行うデマンド制御手段と、デマンド制御に起因する遮断レベルおよびこの遮断レベルの継続時間を検出して記憶する制御履歴記憶手段と、所定期間内における各遮断レベルの累積時間を算出する累積時間算出手段と、算出された累積時間に基づいて目標電力の適否を判定する適否判定手段とを含むものである。
【００１７】
請求項５のデマンド制御監視装置は、目標電力に基づいて負荷のデマンド制御を行うデマンド制御手段と、デマンド制御に起因する遮断レベルおよびこの遮断レベルの継続時間を検出して記憶する制御履歴記憶手段と、所定期間内における各遮断レベルの累積時間を算出する累積時間算出手段と、各遮断レベルの累積時間の所定期間に対する割合を算出する割合算出手段と、算出された割合を所定の閾値と比較して目標電力の適否を判定する適否判定手段とを含むものである。
【００１８】
請求項６のデマンド制御監視装置は、目標電力に基づいて負荷のデマンド制御を行うデマンド制御手段と、デマンド制御に起因する遮断レベルおよびこの遮断レベルの継続時間を検出して記憶する制御履歴記憶手段と、所定期間内における各遮断レベルの累積時間を算出する累積時間算出手段と、各遮断レベルの累積時間の所定期間に対する割合を算出する割合算出手段と、算出された割合をグラフ表示する表示手段とを含むものである。
【００２０】
【作用】
請求項１のデマンド制御監視方法であれば、目標電力に基づいて負荷のデマンド制御を行い、デマンド制御に起因する遮断レベルおよびこの遮断レベルの継続時間を検出して記憶し、所定期間内における各遮断レベルの累積時間を算出し、算出された累積時間に基づいて目標電力の適否を判定するのであるから、目標電力の適否をより精度よく判定することができる。この結果、目標電力を適切な値にすることがより簡単になり、ひいては契約電力低減と室内環境維持とを両立させることができる。
【００２１】
請求項２のデマンド制御監視方法であれば、目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の所定期間に対する割合を算出し、算出された割合に基づいて目標電力の適否を判定するのであるから、目標電力の適否を簡単に、かつ、より精度よく判定することができる。この結果、目標電力を適切な値にすることがより簡単になり、ひいては契約電力低減と室内環境維持とを両立させることができる。
【００２２】
請求項３のデマンド制御監視方法であれば、目標電力に基づいて負荷のデマンド制御を行い、デマンド制御に起因する遮断レベルおよびこの遮断レベルの継続時間を検出して記憶し、所定期間内における各遮断レベルの累積時間を算出し、各遮断レベルの累積時間の所定期間に対する割合を算出し、算出された割合をグラフ表示するのであるから、目標電力の適否をより簡単に、かつ、より精度よく判定することができる。この結果、目標電力を適切な値にすることがより簡単になり、ひいては契約電力低減と室内環境維持とを両立させることができる。
【００２５】
請求項４のデマンド制御監視装置であれば、デマンド制御手段によって、目標電力に基づいて負荷のデマンド制御を行い、制御履歴記憶手段によって、デマンド制御に起因する遮断レベルおよびこの遮断レベルの継続時間を検出して記憶する。そして、累積時間算出手段によって、所定期間内における各遮断レベルの累積時間を算出し、適否判定手段によって、算出された累積時間に基づいて目標電力の適否を判定することができる。
【００２６】
したがって、目標電力の適否をより精度よく判定することができる。この結果、目標電力を適切な値にすることがより簡単になり、ひいては契約電力低減と室内環境維持とを両立させることができる。
【００２７】
請求項５のデマンド制御監視装置であれば、デマンド制御手段によって、目標電力に基づいて負荷のデマンド制御を行い、制御履歴記憶手段によって、デマンド制御に起因する遮断レベルおよびこの遮断レベルの継続時間を検出して記憶する。そして、累積時間算出手段によって、所定期間内における各遮断レベルの累積時間を算出し、割合算出手段によって、各遮断レベルの累積時間の所定期間に対する割合を算出し、適否判定手段によって、算出された割合に基づいて目標電力の適否を判定することができる。
【００２８】
したがって、目標電力の適否を簡単に、かつ、より精度よく判定することができる。この結果、目標電力を適切な値にすることがより簡単になり、ひいては契約電力低減と室内環境維持とを両立させることができる。
【００２９】
請求項６のデマンド制御監視装置であれば、デマンド制御手段によって、目標電力に基づいて負荷のデマンド制御を行い、制御履歴記憶手段によって、デマンド制御に起因する遮断レベルおよびこの遮断レベルの継続時間を検出して記憶する。そして、累積時間算出手段によって、所定期間内における各遮断レベルの累積時間を算出し、割合算出手段によって、各遮断レベルの累積時間の所定期間に対する割合を算出し、表示手段によって、算出された割合をグラフ表示することができる。
【００３０】
したがって、グラフ表示を見ることによって目標電力の適否を簡単に、かつ、より精度よく判定することができる。この結果、目標電力を適切な値にすることがより簡単になり、ひいては契約電力低減と室内環境維持とを両立させることができる。
【００３１】
【発明の実施の形態】
以下、添付図面を参照して、この発明のデマンド制御監視方法およびその装置の実施の態様を詳細に説明する。
【００３２】
図１はこの発明のデマンド制御監視方法が適用されるデマンド制御監視装置の一実施態様を示すブロック図である。
【００３３】
このデマンド制御監視装置は、デマンド制御部１と、遮断レベル発生時間内訳算出部２と、表示装置３とを有している。
【００３４】
前記デマンド制御部１は、デマンドパルスを入力としてデマンドパルスを積算するパルスカウンタ１１と、デマンド時限から経過時間を減算して残り時間を算出する残り時間演算部１２と、デマンドパルス計数値および残り時間を入力として予測電力を算出する予測電力演算部１３と、目標電力を保持する目標電力記憶部１５と、目標電力および算出された予測電力を入力として制御の要否を判定して判定結果を出力する制御要否判定部１６と、判定結果を入力として負荷制御のための処理を行う負荷制御部１７と、制御要否判定部１６からの判定結果を入力として制御履歴（例えば、表１に示すように、遮断／復帰指令の出力時刻、出力遮断レベルなど）を記憶する制御履歴記憶部１８とを有している。
【００３５】
【表１】
0003731110.tif 000002
【００３６】
前記予測電力演算部１３は、例えば、予め設定されているパルス重み×パルス積算値×（６０÷デマンド時限［分］）の演算を行って現在電力を算出し、この現在電力を用いて、現在電力＋（過去Δｔ分間の電力変化量÷サンプリング時間Δｔ）×（残り時間）の演算を行って予測電力を算出する。
【００３７】
前記制御要否判定部１６は、例えば、目標電力÷デマンド時限×経過時間の演算を行って目標現在電力を算出し、経過時間＞Ｔロック時間（時限開始直後の、遮断指令出力を禁止すべき時間）、かつ予測電力≧目標電力、かつ現在電力≧目標現在電力である場合に、遮断指令出力を行って、最大レベルになるまで遮断レベルを１つ上げ、逆に、予測電力＜目標電力、かつ現在電力＜目標現在電力である場合に、復帰指令出力を行って、遮断レベル＝０になるまで遮断レベルを１つ下げる。これら以外の場合には、遮断指令出力、復帰指令出力の何れも行わない。
【００３８】
上記の予測電力は時限開始直後に大きな値が算出され易いという問題があるが、このようにＴロック時間を制御要否の判定式に加えることで、時限開始直後に不要な遮断指令が出力されるのを阻止している。
【００３９】
前記負荷制御部１７は、各遮断レベル毎に行う制御を予め設定しておき、制御要否判定部１６からの遮断レベルを入力として、この遮断レベルに対応して負荷群（例えば、空気調和機、照明器具など）を制御するための処理を行い、負荷制御データを出力する。ここで、制御としては、空気調和機の圧縮機の能力抑制、設定温度のシフト、空気調和機の室内機の強制サーモオフ（送風運転）、設備の停止などが例示できる。また、遮断レベルが高いほど、強い電力抑制がかかるように遮断レベル毎の制御が設定されている。
【００４０】
前記遮断レベル発生時間内訳算出部２は、予め設定された期間（累積時間算出期間であり、例えば、３０分〜数ヶ月の範囲で任意に設定される期間）、および表示様式を保持する期間＆表示様式記憶部２２と、残り時間、遮断レベルを示す判定結果、および累積時間算出期間を入力として、遮断レベル毎の累積時間、および各累積時間の累積時間算出期間に対する割合（遮断レベルの発生割合）を算出する遮断レベル累積時間算出部２１と、累積時間算出期間に対応して算出された遮断レベル毎の累積時間、および表示様式を入力として表示のための作画処理を行って画像データを生成する表示用作画部２３とを有している。
【００４１】
前記遮断レベル累積時間算出部２１は、図２に示すフローチャートの処理を行って遮断レベル毎の累積時間、および各累積時間の累積時間算出期間に対する割合を算出する。なお、Ｓが遮断レベルを、ＮＳが遮断レベルＳの発生回数を、それぞれ示している。
【００４２】
ステップＳＰ１において、累積時間算出期間、制御履歴（遮断レベル）に基づいて、残り時間演算部１２からの残り時間演算結果を用いてｉ番目（ｉは正の整数）の遮断レベルの開始時間ＴＳｓｔａｒｔｉおよび終了時間ＴＳｅｎｄｉの抽出を行い、ステップＳＰ２において、遮断レベルＳの累積時間ＴＳを数１の演算を行うことにより算出し、ステップＳＰ３において、遮断レベルＳの発生割合ＰＳを数２の演算を行うことにより算出し、ステップＳＰ４において、遮断レベルＳの累積時間ＴＳおよび／または遮断レベルＳの発生割合ＰＳを表示用作画部２３に供給し、そのまま元の処理に戻る。
【００４３】
【数１】
0003731110.tif 000003
【００４４】
【数２】
0003731110.tif 000004
【００４５】
上記のデマンド制御監視装置の作用は次のとおりである。
【００４６】
デマンド制御部１によってデマンド制御を行うことにより、例えば、表１に示す制御履歴が得られ、制御履歴記憶部１８に保持される。
【００４７】
そして、予め設定されている累積時間算出期間に対応させて、遮断レベル累積時間算出部２１によって、遮断レベル毎の累積時間および発生割合を算出し、予め設定されている表示様式に対応させて、表示用作図部２３によって画像データを作成し、表示装置３によって可視的に表示することができる。
【００４８】
具体的には、各負荷に対応するデマンド制御のための遮断レベルが表２に示すように設定されているとともに、表示様式として横向きの棒グラフが設定されている場合において、目標電力（デマンド目標電力）が１０５ｋＷに設定されていれば、遮断レベル毎の累積時間が表３に示すように得られ、遮断レベル毎の発生割合が図３に示すように表示される。
【００４９】
【表２】
0003731110.tif 000005
【００５０】
【表３】
0003731110.tif 000006
【００５１】
また、デマンド目標電力が１１０ｋＷに設定されていれば、遮断レベル毎の累積時間が表４に示すように得られ、遮断レベル毎の発生割合が図４に示すように表示される。
【００５２】
【表４】
0003731110.tif 000007
【００５３】
表示様式として円グラフが設定されていれば、デマンド目標電力が１０５ｋＷ、１１０ｋＷのそれぞれに対応して図５、図６に示すように表示される。
【００５４】
表示様式として円板グラフが設定されていれば、デマンド目標電力が１０５ｋＷ、１１０ｋＷのそれぞれに対応して図７、図８に示すように表示される。
【００５５】
これらのグラフを見れば、デマンド目標電力を１１０ｋＷに設定した場合には、遮断レベルが低い方に偏りすぎているのに対して、デマンド目標電力を１０５ｋＷに設定した場合には、遮断レベルが低い方から高い方に向かって徐々に減少していることが分かる。したがって、１１０ｋＷは適切なデマンド目標電力ではないのに対して、１０５ｋＷは適切なデマンド目標電力であることが分かる。
【００５６】
また、遮断レベルの偏りに着目すれば、デマンド目標電力が不適切である場合に、デマンド目標電力を増加させるべきか、減少させるべきかを簡単に判定することができる。さらに説明する。
【００５７】
遮断レベルの低い方から順に発生割合が少なくなっていく分布が適切な状態で、遮断レベルの高い方の発生割合が多くなっている場合はデマンド目標電力が低すぎ、室内環境が厳しい状態になっていると推定される。逆に、遮断レベルの低いものしかない場合はデマンド目標電力が高すぎ、契約電力が高すぎて基本電力料金の節約の機会を逃していると考えられる。したがって、このようなことを考慮して遮断レベルの発生割合の多少を判定することによってデマンド目標電力の適否を精度よく判定することができる。
【００５８】
また、この実施態様においては、可視的な表示を目視で確認することによってデマンド目標電力の適否を判定するようにしているが、各遮断レベル、もしくは特定の遮断レベルの累積時間、もしくは発生割合を所定の閾値と比較することによってデマンド目標電力の適否を自動的に判定することが可能である。ただし、この場合における閾値は、例えば、室内環境維持、および契約電力低減を考慮して経験的に定めればよい。
【００５９】
さらに、図１のデマンド制御監視装置は、デマンド制御対象であるビルなどに組み込まれたものとして説明しているが、図９に示すように、遠隔監視センター４により複数のデマンド制御対象５を監視するシステムに適用することができる。
【００６０】
この場合には、デマンド制御部１を各デマンド制御対象５に組み込み、遮断レベル発生時間内訳算出部２、および表示装置３を遠隔監視センター４に組み込み、遠隔監視センター４と各デマンド制御対象５との間をネットワーク６を介して接続すればよい。ここで、ネットワーク６としては、有線のネットワーク、無線のネットワークの何れであっても採用することができる。
【００６１】
この構成を採用した場合には、各デマンド制御対象においてデマンド目標電力に基づくデマンド制御を行いながら制御履歴記憶部１８に制御履歴を保持させる。
【００６２】
そして、各デマンド制御対象５からネットワーク６を通して制御履歴を遠隔監視センター４に伝送する。
【００６３】
遠隔監視センター４においては、伝送された制御履歴に基づいて、各デマンド制御対象毎に、各遮断レベルの累積時間、および遮断レベル発生割合を算出し、可視的に表示する。
【００６４】
そして、遠隔監視センター４から該当するデマンド制御対象５に対して、算出した各遮断レベルの累積時間、および遮断レベル発生割合を伝送し、もしくは各遮断レベルの累積時間、および／または遮断レベル発生割合に基づいて推定される適切なデマンド目標電力を供給する。
【００６５】
この場合には、各デマンド制御対象５における処理負荷を低減できるとともに、遠隔監視センター４において各デマンド制御対象５におけるデマンド目標電力の適否を集中的に判定することができる。
【００６６】
図１０はこの発明のデマンド制御監視装置の他の実施態様を示すブロック図である。
【００６７】
このデマンド制御監視装置が図１のデマンド制御監視装置と異なる点は、遮断レベル発生時間内訳算出部２として、時限毎の遮断レベル累積時間算出結果を保持する時限毎算出結果記憶部２４をさらに有するものを採用した点、および時限毎の遮断レベル累積時間算出結果に基づいてデマンド突出の原因となる原因設備情報を抽出する原因設備抽出部７をさらに有する点のみである。
【００６８】
前記原因設備抽出部７は、時限毎の遮断レベル累積時間算出結果を入力としてデマンド突出時間帯を抽出するデマンド突出時間帯抽出部７１と、設備運転履歴を保持する設備運転履歴記憶部７２と、デマンド突出時間帯に対応する設備運転履歴を抽出する設備運転履歴抽出部７３とを有している。
【００６９】
前記デマンド突出時間帯抽出部７１は、単位時限毎に算出された、遮断レベルの高い時限、すなわちデマンドが突出した時限を検出することによって、デマンド突出時間帯を抽出する。そして、遮断レベルの高さの程度は、各遮断レベルの発生時間もしくは発生割合に遮断レベル毎の重みをかけて加算することにより検出する。こうして求めた値が、前後Ｎ時限（Ｎは正の整数）の中で最大で、しかも所定の値を超えていて、かつ所定の割合以上他を上回っている時、この時限をデマンドが突出した時限とする。そして、デマンドが突出した全ての時限から、デマンド突出時間帯を抽出する。
【００７０】
前記設備運転履歴抽出部７３は、設備の起動や設定温度の変更が行われてから、実際に消費電力が増加するまでに、遅延（数分〜３０分程度）があることを考慮して、デマンド突出時間帯の開始時刻の１時間程度前からデマンド突出時間帯の終了時刻までの時間帯における設備運転履歴を抽出し、抽出された設備運転履歴の中から、設備の起動と設定温度の変更（冷房運転時には設定温度を下げ、暖房運転時には設定温度を上げる設定温度の変更）に関する運転履歴を、契約電力を押し上げる原因になり得る不適切な設備運用として抽出し、記録する。ただし、契約電力の押し上げが軽微なものを除外すべく、設定温度の変更幅が所定幅以上のもの、設定温度変更後の設定温度が第１所定温度以下（冷房運転時）（暖房運転時であれば、第２所定温度以上）のもののみを抽出することが好ましい。
【００７１】
この実施態様を採用した場合には、前記の実施態様と同様にデマンド目標電力の適否を判定することができるほか、デマンド制御後の値からは非制御時のデマンド値が突出しているか否かを判定できないにも拘わらず、デマンド突出時間帯抽出部７１によってデマンド値が突出していた時間帯を抽出することができ、この時間帯に基づいて定まる時間帯における設備運転履歴からデマンド値を突出させる原因となる設備を抽出することができる。そして、デマンド値を突出させる原因となる設備の運転を変更することによって、デマンド値の突出を防止し、もしくは抑制することができ、ひいては、デマンド制御を行った場合における室内環境の悪化を抑制することができるとともに、デマンド目標電力の低減を達成することもできる。
【００７２】
図１１はこの発明のデマンド制御監視装置のさらに他の実施態様を示すブロック図である。
【００７３】
このデマンド制御監視装置が図１のデマンド制御監視装置と異なる点は、遮断レベル発生時間内訳算出部２と表示装置３との間に目標電力適否判定部８をさらに設けた点、表示用作画部２３を省略した点、および表示装置３として、適否判定結果を表示するものを採用した点のみである。
【００７４】
前記目標電力適否判定部８は、室内環境維持、および契約電力低減を考慮して経験的に定めた閾値（例えば、遮断レベル毎に設定された閾値）を保持する閾値記憶部８２と、遮断レベル累積時間算出部２１により算出された遮断レベル累積時間と対応する閾値とを比較してデマンド目標電力の適否を判定する適否判定部８３とを有している。
【００７５】
したがって、この実施態様であれば、適否判定部８３によって客観的にデマンド目標電力の適否を判定することができ、この客観的な判定結果を表示装置３によって表示することができる。もちろん、この表示装置３によって遮断レベル累積時間を表示することも可能である。
【００７６】
図１２はこの発明のデマンド制御監視装置のさらに他の実施態様を示すブロック図である。
【００７７】
このデマンド制御監視装置が図１１のデマンド制御監視装置と異なる点は、目標電力適否判定部８として、遮断レベル累積時間割合算出部８１をさらに含むものを採用した点のみである。
【００７８】
前記遮断レベル累積時間割合算出部８１は、遮断レベル累積時間算出部２１により算出された遮断レベル累積時間を入力として各遮断レベル累積時間の割合を算出し、適否判定部８３に供給する。
【００７９】
前記閾値記憶部８２には、割合の判定基準となる閾値を保持する。
【００８０】
前記適否判定部８３は、各遮断レベル累積時間の割合と対応する閾値とを比較してデマンド目標電力の適否を判定する。
【００８１】
したがって、この実施態様であれば、適否判定部８３によって客観的にデマンド目標電力の適否を判定することができ、この客観的な判定結果を表示装置３によって表示することができる。もちろん、この表示装置３によって遮断レベル累積時間の割合を表示することも可能である。
【００８３】
【発明の効果】
請求項１の発明は、目標電力の適否をより精度よく判定することができ、この結果、目標電力を適切な値にすることがより簡単になり、ひいては契約電力低減と室内環境維持とを両立させることができるという特有の効果を奏する。
【００８４】
請求項２の発明は、目標電力の適否を簡単に、かつ、より精度よく判定することができ、この結果、目標電力を適切な値にすることがより簡単になり、ひいては契約電力低減と室内環境維持とを両立させることができるという特有の効果を奏する。
【００８５】
請求項３の発明は、目標電力の適否をより簡単に、かつ、より精度よく判定することができ、この結果、目標電力を適切な値にすることがより簡単になり、ひいては契約電力低減と室内環境維持とを両立させることができるという特有の効果を奏する。
【００８７】
請求項４の発明は、目標電力の適否を簡単に、かつ、より精度よく判定することができ、この結果、目標電力を適切な値にすることがより簡単になり、ひいては契約電力低減と室内環境維持とを両立させることができるという特有の効果を奏する。
【００８８】
請求項５の発明は、目標電力の適否を簡単に、かつ、より精度よく判定することができ、この結果、目標電力を適切な値にすることがより簡単になり、ひいては契約電力低減と室内環境維持とを両立させることができるという特有の効果を奏する。
【００８９】
請求項６の発明は、グラフ表示を見ることによって目標電力の適否を簡単に、かつ、より精度よく判定することができ、この結果、目標電力を適切な値にすることがより簡単になり、ひいては契約電力低減と室内環境維持とを両立させることができるという特有の効果を奏する。
【図面の簡単な説明】
【図１】この発明のデマンド制御監視方法が適用されるデマンド制御監視装置の一実施態様を示すブロック図である。
【図２】遮断レベル累積時間算出部における処理を説明するフローチャートである。
【図３】遮断レベル毎の発生割合の表示の一例を示す図である。
【図４】遮断レベル毎の発生割合の表示の一例を示す図である。
【図５】遮断レベル毎の発生割合の表示の他の例を示す図である。
【図６】遮断レベル毎の発生割合の表示の他の例を示す図である。
【図７】遮断レベル毎の発生割合の表示のさらに他の例を示す図である。
【図８】遮断レベル毎の発生割合の表示のさらに他の例を示す図である。
【図９】遠隔監視センターにより複数のデマンド制御対象を監視するシステムを示す概略図である。
【図１０】この発明のデマンド制御監視方法が適用されるデマンド制御監視装置の他の実施態様を示すブロック図である。
【図１１】この発明のデマンド制御監視方法が適用されるデマンド制御監視装置のさらに他の実施態様を示すブロック図である。
【図１２】この発明のデマンド制御監視方法が適用されるデマンド制御監視装置のさらに他の実施態様を示すブロック図である。
【符号の説明】
１  デマンド制御部    ３  表示装置
１８  制御履歴記憶部    ２１  遮断レベル累積時間算出部
８３  適否判定部
【図１】
0003731110.tif 000008
【図２】
0003731110.tif 000009
【図３】
0003731110.tif 000010
【図４】
0003731110.tif 000011
【図５】
0003731110.tif 000012
【図６】
0003731110.tif 000013
【図７】
0003731110.tif 000014
【図８】
0003731110.tif 000015
【図９】
0003731110.tif 000016
【図１０】
0003731110.tif 000017
【図１１】
0003731110.tif 000018
【図１２】
0003731110.tif 000019